(57)【要約】【課題】強度が低下するのを防止しつつ、遮音性を有する建築用板材を提供すること。【解決手段】建築用板材１は、建築物の支持部材１００に取り付けられ、所定の厚さの板材１０が複数枚積層されて形成されており、支持部材１０に取り付けられる裏面１１の反対側の面である表面１２に溝２０が形成されており、溝２０の底２１が曲面形状に形成されている。これにより、強度が低下するのを防止しつつ、遮音性を有する建築用板材を提供できる。【選択図】図１
0003206319.tif 000002
【実用新案登録請求の範囲】
【請求項１】
建築物の支持部材に取り付けられる建築用板材であって、
所定の厚さの板材が複数枚積層されて形成されており、
前記支持部材に取り付けられる裏面の反対側の面である表面に溝が形成されており、
前記溝の底が曲面形状に形成されている建築用板材。
【請求項２】
前記板材の厚さは１２ｍｍ以上であり、３層以上積層されており、
前記溝は、
所定間隔で複数配置されており、
幅が５ｍｍ以上１５ｍｍ以下であり、
表面から底までの深さが１０ｍｍ以上１５ｍｍ以下である請求項１に記載の建築用板材。
【考案の詳細な説明】
【技術分野】
【０００１】
本考案は、建築用板材に関し、特に、建築物の支持部材に取り付けられる建築用板材に関する。
【背景技術】
【０００２】
従来、建築物の内部の音が外部に漏れないようにするために、建築物の内壁等を遮音性を有する部材にする場合がある。
【０００３】
このような部材として、例えば、特許文献１には、板材の片面に凹凸面とリブ状突起を施した板材をその加工面を対面して形成して組み合わせ、複数存在するリブ状突起の間に形成される空間部分に繊維質の素材等で構成される吸音材を充填する壁材が提案されている。
このような壁材によれば、内部に空間部分を設け、この空間部分に吸音材を充填することで、遮音性を有する部材を提供できる。
【先行技術文献】
【特許文献】
【０００４】
【特許文献１】特開２００６−１６９９３５号公報
【考案の概要】
【考案が解決しようとする課題】
【０００５】
しかしながら、特許文献１の壁材のように、その内部に空間部分を設けると、壁材自体の強度が低下し、地震時に壁材が崩落する場合がある。
【０００６】
本考案は、強度が低下するのを防止しつつ、遮音性を有する建築用板材を提供することを目的とする。
【課題を解決するための手段】
【０００７】
（１）  建築物の支持部材に取り付けられる建築用板材であって、
所定の厚さの板材が複数枚積層されて形成されており、
前記支持部材に取り付けられる裏面の反対側の面である表面に溝が形成されており、
前記溝の底が曲面形状に形成されている建築用板材。
【０００８】
（１）の構成によれば、建築物の支持部材に取り付けられる建築用板材は、所定の厚さの板材が複数枚積層されて形成されている。
そして、支持部材に取り付けられる裏面の反対側の面である表面に溝が形成されている。この溝の底は、曲面形状に形成されている。
【０００９】
これにより、建築用板材に向かった音が、溝の内壁や曲面形状に形成された底で反射を繰り返し減衰することで、遮音性が向上する。
また、溝を形成しても、所定の厚さの板材を複数枚積層して形成したので、溝を形成しても、所定の厚さを確保可能なので、強度の低下を防止できる。
したがって、強度が低下するのを防止しつつ、遮音性を有する建築用板材を提供できる。
【００１０】
（２）  前記板材の厚さは１２ｍｍ以上であり、３層以上積層されており、
前記溝は、
所定間隔で複数配置されており、
幅が５ｍｍ以上１５ｍｍ以下であり、
表面から底までの深さが１０ｍｍ以上１５ｍｍ以下である（１）に記載の建築用板材。
【００１１】
これにより、既成の板材を３層以上積層し、一般的なローラを回転させながら押し当てることで溝を形成できるので、製造コストを抑えることが可能となる。
したがって、強度が低下するのを防止しつつ、遮音性を有し、製造コストを抑えることが可能な建築用板材を提供できる。
【考案の効果】
【００１２】
本考案によれば、強度が低下するのを防止しつつ、遮音性を有する建築用板材を提供できる。
【図面の簡単な説明】
【００１３】
【図１】本考案の一実施形態に係る建築用板材１が、支持部材１００に取り付けられた状態の斜視図である。
【図２】前記実施形態に係る建築用板材１の断面図である。
【図３】前記実施形態に係る溝の別例を示す図である。
【図４】前記実施形態に係る溝の別例を示す図である。
【図５】前記実施形態に係る溝の別例を示す図である。
【図６】前記実施形態に係る溝の別例を示す図である。
【図７】前記実施形態に係る溝の別例を示す図である。
【考案を実施するための形態】
【００１４】
本考案の実施形態に係る建築用板材１の構成を図面に基づいて説明する。
図１は、本考案の一実施形態に係る建築用板材１が、支持部材１００に取り付けられた状態の斜視図である。
建築用板材１は、所定間隔（例えば、６００〜４５０ｍｍ間隔等）で配置された支持部材１００に取り付けられている。建築用板材１は、壁材や天井材として用いられる。
建築用板材１は、所定の厚さ（例えば、１２ｍｍ等）の板材１０が複数枚（例えば、３〜５枚等）積層され、外径寸法が所定寸法（１８００ｍｍ×９１４ｍｍや２４１０ｍｍ×１２００ｍｍ等）に形成されている。建築用板材１は、例えば、板材１０の長辺方向が層ごとに直交するように重ねて接着したＣＬＴ（Cross  Laminated  Timber）で構成してもよい。
【００１５】
なお、支持部材１００は、建築物の構造体や、壁材や天井材の下地材であってもよい。
また、建築用板材１は、内装材に限らず、下地材、耐震壁材、床材、外壁材として使用してもよい。
【００１６】
図２は、前記実施形態に係る建築用板材１の断面図である。
建築用板材１は、支持部材１００に取り付けられる裏面１１の反対側の面である表面１２に溝２０が形成されている。
【００１７】
溝２０は、建築用板材１の側縁から所定寸法（例えば、３０ｍｍ等）離れた位置から、所定間隔（例えば、２０ｍｍ等）で複数配置されている。
溝２０は、幅が５ｍｍ以上１５ｍｍ以下であり、表面１２から底２１までの深さが１０ｍｍ以上１５ｍｍ以下であることが望ましい。
また、溝２０の底２１は、曲面形状に形成されている。
【００１８】
図１に戻って、建築用板材１は、表面１２側から視て、溝２０が、長辺方向に沿って延びて、所定間隔で複数配列されている。
【００１９】
なお、溝２０の表面１２側から視た形状は、図１に示す例に限らず、多様な形状とすることができる。
図３から図７は、前記実施形態に係る溝の別例を示す図である。
【００２０】
図３に示す例では、溝２０は、表面１２側から視て、円形状に形成され、長辺方向及び短辺方向に所定間隔で複数配列されている。
図４に示す例では、溝２０は、表面１２側から視て、長辺方向又は短辺方向に対して所定角度（例えば、４５度）傾いた方向に延びて、所定間隔で複数配列されている。
図５に示す例では、溝２０は、表面１２側から視て、短辺方向に沿って延びて、所定間隔で複数配列されている。
図６に示す例では、溝２０は、表面１２側から視て、略Ｘ字形状に形成され、長辺方向及び短辺方向に所定間隔で複数配列されている。
図７に示す例では、溝２０は、表面１２側から視て、長辺方向に沿って延びて所定間隔で複数配列されている形状と、短辺方向に沿って延びて所定間隔で複数配列されている形状と、が互いに交差する形状に形成されている。
また、建築用板材１は、断面形状を凹部と凸部とを所定間隔で繰り返す波形状に形成し、凹部を溝２０としてもよい。
【００２１】
建築用板材１を上記のように構成することで、例えば、建築用板材１を建築物の内部に表面１２を向けて配置した壁材や天井材として用いた場合、建築物の内部で発生した音が、建築用板材１に向かう。この建築用板材１に向かった音の一部は、溝２０内部に伝わり、溝２０の曲面形状の底２１で反射することで、溝２０内部で反射を繰り返し減衰する。
これにより、建築用板材１の表面１２から裏面１１側に伝わる音の大きさを抑えることが可能となる。
【００２２】
本実施形態に係る建築用板材１によれば、以下の作用効果を奏する。
建築物の支持部材１００に取り付けられる建築用板材１は、所定の厚さの板材１０が複数枚積層されて形成されている。
そして、支持部材１００に取り付けられる裏面１１の反対側の面である表面１２に溝２０が形成されている。この溝２０の底２１は、曲面形状に形成されている。
【００２３】
これにより、建築用板材１に向かった音が、溝２０の内壁や曲面形状に形成された底２１で反射を繰り返し減衰することで、遮音性が向上する。
また、溝２０を形成しても、所定の厚さの板材１０を複数枚積層して形成したので、溝２０を形成しても、所定の厚さを確保可能なので、強度の低下を防止できる。
したがって、強度が低下するのを防止しつつ、遮音性を有する建築用板材を提供できる。
【００２４】
また、建築用板材１の溝は、幅が５ｍｍ以上１５ｍｍ以下であり、表面１２から底２１までの深さが１０ｍｍ以上１５ｍｍ以下であるので、既成の板材１０を３層以上積層し、一般的なローラを回転させながら押し当てることで溝２０を形成できるので、製造コストを抑えることが可能となる。
したがって、強度が低下するのを防止しつつ、遮音性を有し、製造コストを抑えることが可能な建築用板材を提供できる。
【００２５】
なお、本考案は前記実施形態に限定されるものではなく、本考案の目的を達成できる範囲での変形、改良等は本考案に含まれるものである。
【符号の説明】
【００２６】
１      建築用板材
１０    板材
１１    裏面
１２    表面
２０    溝
１００  支持部材
【図１】
0003206319.tif 000003
【図２】
0003206319.tif 000004
【図３】
0003206319.tif 000005
【図４】
0003206319.tif 000006
【図５】
0003206319.tif 000007
【図６】
0003206319.tif 000008
【図７】
0003206319.tif 000009